(57)【特許請求の範囲】
【請求項１】
錠前と、この錠前を施解錠操作するための常用、非常用の２種の鍵とからなる非常時対応型自動販売機の錠装置であって、
前記錠前は、半径方向に延びて内周面に開口する複数のドライバピン孔を有する円筒形のシリンダケースと；外周面が前記シリンダケースの内周面に摺接するようにシリンダケース内に施錠位置と解錠位置の間を軸周り回転可能に挿入され、前端に開口して軸線方向に延びる鍵穴と、前記ドライバピン孔に対応する位置において外周面から鍵穴に貫通する複数のコードピン孔とを具備するプラグと；前記ドライバピン孔の一に移動自在に挿入され、前記シリンダケースの内周面の方向に付勢されるロック用ドライバピンと；その他の前記ドライバピン孔に移動自在に挿入され、前記シリンダケースの内周面の方向に付勢されるドライバピンと；前記コードピン孔の一に移動自在に挿入されるロック用コードピンと；その他の前記コードピン孔に移動自在に挿入されるコードピンと、を具備し；  前記ロック用ドライバピンが挿入される前記ドライバピン孔と、前記ロック用コードピンが挿入される前記コードピン孔とは、前記プラグが解錠位置にあるときに連通して、ロック用ドライバピンによってロック用コードピンが前記鍵穴の方向に付勢されるように配置され、
前記常用鍵は、前記鍵穴への挿入時に、前記コードピンとドライバピンとの接触面を前記プラグの外周面に一致させるピン操作部と；前記ロック用コードピンが挿入された前記コードピン孔を閉じて、解錠位置において前記ロック用ドライバピンとロック用コードピンとの接触面を前記プラグの外周面に一致させる閉鎖部とを具備し、
前記非常用鍵は、前記鍵穴への挿入時に、前記コードピンとドライバピンとの接触面を前記プラグの外周面に一致させるピン操作部と；前記ロック用コードピンが挿入された前記コードピン孔に対応する位置に設けられ、解錠位置においてロック用コードピンが鍵穴内への突出するのを許容するロック凹部とを具備し、
前記非常用鍵を用いて前記錠前を解錠すると、解錠位置において前記ロック用コードピンが前記ロック凹部内へ突出して、前記プラグの回転及び当該非常用鍵の抜き取りが阻止されることを特徴とする非常時対応型自動販売機用錠装置。
【発明の詳細な説明】
【技術分野】
【０００１】
この発明は、震災などの大規模災害が発生して地域のライフラインが停止したような場合に、飲料、食品の供給源として対応できる災害対応に優れた自動販売機用の錠装置に関する。
【背景技術】
【０００２】
大規模な災害が発生して電気、ガス、水道などのライフラインが停止するような非常時には、自動販売機内に収納された飲料、食料を被災者に提供することが考えられる。しかし、停電時に自動販売機に金銭を投入しても商品を購入することはできないし、扉を開放する場合には鍵が必要となる。このため、自動販売機内に収納された飲料、食料を被災者に速やかに提供することができないという問題点がある。
そこで、非常時に、外扉に設けられた商品サンプル室や広告表示部など、合成樹脂製のパネルによって閉鎖された開口部を介して外部から操作可能な非常用規制解除部材を備えた自動販売機が提案されている。この非常用規制解除部材は、錠を操作することなく、直接、扉係止部材に係合するスライド板を離脱方向へ移動操作することにより、外扉の開放を可能とするものである（例えば特許文献1参照）。
【先行技術文献】
【特許文献】
【０００３】
【特許文献１】特開２００８−００３８４５号公報
【発明の概要】
【発明が解決しようとする課題】
【０００４】
上記従来の非常用規制解除部材を備えた自動販売機においては、鍵を使用しなくても開扉できるから、構造を知る者であれば、無権原者が、いつでも開口部から非常用規制解除部材を操作して扉を開放することができるという問題点がある。また、このような非常用規制解除部材を備えない既存の自動販売機については、後から構造変更して非常解錠可能とすることは困難である。
したがって、この出願に係る発明は、災害時等には、非常用キーで解錠が可能であるが、いったん非常用キーで解錠操作すると、当該非常用キーの抜き取り及びそれによる錠操作が不可能となり、後に非常解錠の事実が確実に残される自動販売機用の錠装置を提供することを目的としている。
【課題を解決するための手段】
【０００５】
以下、添付図面の符号を参照して説明するが、本発明はこれに限定されるものではない。
上記課題を解決するための、この出願に係る発明の自動販売機用錠装置は、ピンタンブラ式の錠前１と、この錠前１を施解錠操作するための常用、非常用の２種の鍵４，５とからなる。錠前１のシリンダケース２は、円筒形で、半径方向に延びて内周面２ｃに開口する複数のドライバピン孔２ｂを有する。シリンダケース２内のプラグ３は、円柱形で、外周面３ａが、シリンダケース２の内周面２ｃに摺接し、施錠位置と解錠位置の間を軸周り回転可能である。プラグ３は、前端に開口して軸線方向に延びる鍵穴３ｂと、ドライバピン孔２ｂに対応する位置において外周面３ａから鍵穴３ｂに貫通する複数のコードピン孔３ｃ，３ｄとを具備する。１つのドライバピン孔２ａに、ロック用ドライバピン６ａが移動自在に挿入され、シリンダケース２の内周面２ｃの方向に付勢される。その他のドライバピン孔２ｂに、ドライバピン６ｂが移動自在に挿入され、シリンダケース２の内周面２ｃの方向に付勢される。１つのコードピン孔３ｃに、ロック用コードピン８ａが移動自在に挿入され、その他のコードピン孔３ｄに、コードピン８ｂが移動自在に挿入される。プラグ３が解錠位置にあるとき、ロック用ドライバピン６ａが挿入されたドライバピン孔２ａと、ロック用コードピン８ａが挿入されたコードピン孔３ｃとが、互いに連通し、ロック用ドライバピン６ａによってロック用コードピン８ａが鍵穴３ｂの方向に付勢される。常用鍵４は、ピン操作部４ａと閉鎖部４ｃとを具備する。常用鍵４が鍵穴３ｂへの挿入されると、ピン操作部４ａが、コードピン８ｂとドライバピン６ｂとの接触面をプラグの外周面３ａに一致させ、閉鎖部４ｂが、ロック用コードピン８ａが挿入されたコードピン孔３ｃを閉じると共に、解錠位置においてロック用ドライバピン６ａとロック用コードピン８ａとの接触面をプラグ３の外周面３ａに一致させる。非常用鍵５は、ピン操作部５ａと、ロック凹部５ｂとを具備する。非常用鍵５が鍵穴３ｂへの挿入されると、ピン操作部５ａが、コードピン８ｂとドライバピン６ｂとの接触面をプラグ３の外周面３ａに一致させ、ロック凹部５ｂが、解錠位置において、ロック用コードピン８ａの鍵穴３ｂ内への突出を許容する。それによって、非常用鍵５を用いて錠前１を解錠すると、解錠位置においてロック用コードピン８ａがロック凹部５ｂ内へ突出して、プラグ３の回転及び当該非常用鍵５の抜き取りが阻止される。
【発明の効果】
【０００６】
この出願に係る発明の自動販売機用錠装置によれば、自動販売機の設置場所の近隣に常駐する管理者が所持する非常用鍵を用いて、特定の自動販売機について１回限り扉を解錠することができ、いったん解錠した後は、非常用鍵の抜き取り及びそれによる錠操作が不可能となる。このため、非常解錠の事実を確実に残すことができる。錠装置の保安性を維持したまま、自動販売機の非常時の使い勝手を向上させることができる。錠前の取り替えのみで、他に改造を必要とせずに既存の自動販売機を非常時解錠型に容易に変更できる。
【図面の簡単な説明】
【０００７】
【図１】施錠状態の錠の断面図である。
【図２】常用鍵を挿入した施錠状態の錠装置の断面図である。
【図３】常用鍵を挿入した解錠状態の錠装置の断面図である。
【図４】図３におけるIV−IV線による概略的断面図と鍵との関係を示す説明図である。
【図５】非常用鍵を挿入した施錠状態の錠装置の断面図である。
【図６】非常用鍵を挿入した解錠状態の錠装置の断面図である。
【発明を実施するための形態】
【０００８】
図面を参照してこの発明の実施の形態を説明する。
自動販売機用の錠装置は、シリンダケース２とプラグ３とを含む錠前１と、この錠前を操作する常用、非常用の２種の鍵４，５とを具備する。
【０００９】
シリンダケース２は、概略円筒形で、複数のドライバピン孔２ａ，２ｂを有する。ドライバピン孔２ａ，２ｂは、前後（図４において左右）方向に並んで複数列設けられ、それぞれシリンダケース２の半径方向に延び、内周面２ｃに開口する。
【００１０】
プラグ３は、円柱状で、外周面２ａがシリンダケース２の内周面２ｂに摺接するようにシリンダケース２内に軸周り回転可能に挿入され、鍵４，５の操作で、施錠位置（図１，２，５）と解錠位置（図３，６）の間をほぼ９０°回転する。
【００１１】
プラグ３は、鍵穴３ｂ、複数のコードピン孔３ｃ，３ｄを有する。鍵穴３ｂは、プラグ３の前端に開口して軸線方向に延びる。コードピン孔３ｃ，３ｄは、ドライバピン孔２ａ，２ｂに対応する位置において、プラグ３の外周面３ａから半径方向に延びて鍵穴３ｂに貫通する。
【００１２】
シリンダケース２のドライバピン孔２ａ，２ｂ内には、それぞれドライバピン６ａ，６ｂが移動自在に挿入され、ばね７でシリンダケース２の内周面の方向に付勢される。ドライバピン６ａは、単一のロック用ドライバピンである。
【００１３】
プラグ３のコードピン孔２ｃ，２ｄ内には、それぞれコードピン７ａ，７ｂが移動自在に挿入される。コードピン７ａは、単一のロック用コードピンである。
【００１４】
１つのロック用ドライバピン６ａが、１つのドライバピン孔２ａ内に、移動自在に挿入され、シリンダケース２の内周面２ｃの方向に付勢される。その他複数のドライバピン孔２ｂに、ドライバピン６ｂが移動自在に挿入され、シリンダケース２の内周面２ｃの方向に付勢される。
【００１５】
１つのロック用コードピン８ａが１つのコードピン孔３ｃに、移動自在に挿入され、その他複数のコードピン孔３ｄに、コードピン８ｂが移動自在に挿入される。
【００１６】
ライバピン孔２ａと、コードピン孔３ｃとは、プラグ３が解錠位置にあるとき互いに連通するように配置される。したがって、プラグ３が解錠位置にあるとき、ロック用コードピン８ａは、ロック用ドライバピン６ａによって、鍵穴３ｂの方向に付勢される。
【００１７】
常用鍵４は、ピン操作部４ａと閉鎖部４ｃとを具備する。図２に示すように、施錠状態において、常用鍵４が鍵穴３ｂへの挿入されると、ピン操作部４ａが、コードピン８ｂとドライバピン６ｂとの接触面をプラグの外周面３ａに一致させることによって、プラグ３を解錠方向へ回転操作可能とする。閉鎖部４ｂは、コードピン孔３ｃを閉じることにより、図３に示す解錠位置において、ロック用コードピン８ａが鍵穴３ｂ内へ進入するのを阻止すると共に、ロック用ドライバピン６ａとロック用コードピン８ａとの接触面をプラグ３の外周面３ａに一致させる。解錠位置で常用鍵４を鍵穴３ｂから引き抜いても、再度挿入することにより、ロック用ドライバピン６ａとロック用コードピン８ａとの接触面及びコードピン８ｂとドライバピン６ｂとの接触面をプラグの外周面３ａに一致させることによって、プラグ３を施錠方向へ回転操作可能とする。
【００１８】
非常用鍵５は、常用鍵４と同一コードのピン操作部５ａと、ロック凹部５ｂとを具備する。図５に示すように、施錠状態において非常用鍵５が鍵穴３ｂへの挿入されると、ピン操作部５ａが、コードピン８ｂとドライバピン６ｂとの接触面をプラグ３の外周面３ａに一致させ、プラグ３を解錠方向へ回転可能とする。また、ロック凹部５ｂは、図６に示す解錠位置において、ロック用コードピン８ａが鍵穴３ｂ内へ突出するのを許容する。
【００１９】
すなわち、図５，６に示すように、非常用鍵５を用いて錠前１を解錠すると、解錠位置において、ロック用コードピン８ａが鍵穴３ｂ内へ突出して鍵５のロック凹部５ｂに進入し、鍵５を鍵穴３ｂから引き抜くことができなくなり、同時に、ロック用ドライバピン６ａが、コードピン８ｂとドライバピン６ｂとの接触面を横断するから、プラグ３を回転操作することができなくなる。自動販売機を復旧するには、錠装置を取り替える必要がある。
【符号の説明】
【００２０】
１    錠前
２    シリンダケース
２ａ  ドライバピン孔
２ｂ  ドライバピン孔
２ｃ  内周面
３    プラグ
３ａ  外周面  
３ｂ  鍵穴  
３ｃ  コードピン孔
３ｄ  コードピン孔
４    常用鍵
４ａ  ピン操作部
４ａ  閉鎖部
５    非常用鍵
５ａ  ピン操作部
５ｂ  ロック凹部
６ａ  ロック用ドライバピン
６ｂ  ドライバピン  
７    ばね
８ａ  ロック用コードピン
８ｂ  コードピン
【図１】
0005411921.tif 000002
【図２】
0005411921.tif 000003
【図３】
0005411921.tif 000004
【図４】
0005411921.tif 000005
【図５】
0005411921.tif 000006
【図６】
0005411921.tif 000007